(57)【特許請求の範囲】
【請求項１】
入光側面から入光する導光板と、
前記導光板の入光側面に光を照射する光源と、
前記導光板の一方の主面である出射面と反対側の裏面に沿って配置されるリフレクタと、
を備え、
前記リフレクタは、前記導光板の前記裏面の前記入光側面側において、前記導光板に厚み方向に対向し、固定部材を介して前記導光板に直接に接着されて固定される第１の部分と、該第１の部分から分離され、該第１の部分よりも導光方向の終端側に配置される第２の部分とを有し、
前記第１の部分および前記第２の部分は、単一の固定部材を介してフレームに固定される、
面状照明装置。
【請求項２】
入光側面から入光する導光板と、
前記導光板の入光側面に光を照射する光源と、
前記導光板の一方の主面である出射面と反対側の裏面に沿って配置されるリフレクタと、
を備え、
前記リフレクタは、前記導光板の前記裏面の前記入光側面側に固定部材により固定される第１の部分と、該第１の部分から分離され、該第１の部分よりも導光方向の終端側に配置される第２の部分とを有し、
前記第１の部分および前記第２の部分は、単一の固定部材を介してフレームに固定され、
前記第１の部分が前記導光板と固定される固定部材は、熱圧着テープまたは接着剤である、
面状照明装置。
【請求項３】
入光側面から入光する導光板と、
前記導光板の入光側面に光を照射する光源と、
前記導光板の一方の主面である出射面と反対側の裏面に沿って配置されるリフレクタと、
を備え、
前記リフレクタは、前記導光板の前記裏面の前記入光側面側に固定部材により固定される第１の部分と、該第１の部分から導光方向に分離され、該第１の部分よりも導光方向の終端側に配置される第２の部分とを有し、
前記第１の部分および前記第２の部分は、単一の固定部材を介してフレームに固定される、
面状照明装置。
【請求項４】
前記第１の部分が前記導光板と固定される固定部材は、熱圧着テープまたは接着剤である、
請求項１または３に記載の面状照明装置。
【請求項５】
前記第１の部分および前記第２の部分は、単一の固定部材を介してフレームに直接に接着されて固定される、
請求項１〜４のいずれか一つに記載の面状照明装置。
【請求項６】
前記第２の部分の前記第１の部分から遠い側の端部は、前記導光板の終端側まで延在する、
請求項１〜５のいずれか一つに記載の面状照明装置。
【請求項７】
前記第１の部分は、内部に気泡を有しない材料から構成され、
前記第２の部分は、内部に気泡を有する材料から構成される、
請求項１〜６のいずれか一つに記載の面状照明装置。
【請求項８】
前記第１の部分と前記第２の部分との間のギャップ部分は、額縁部により覆われるデッドエリア内に設けられる、
請求項１〜７のいずれか一つに記載の面状照明装置。
【請求項９】
前記単一の固定部材は、前記リフレクタ側が白色の強粘着テープにより構成される、
請求項１〜８のいずれか一つに記載の面状照明装置。
【請求項１０】
前記第１の部分の前記導光板側には、飛島状に配列された個々の固定部材を囲う切欠きまたは孔が設けられた基材が設けられる、
請求項１〜９のいずれか一つに記載の面状照明装置。
【請求項１１】
前記第１の部分の前記導光板側には、飛島状に配列された個々の固定部材と、該固定部材に隣接して飛島状に配列された矩形状の基材とが設けられる、
請求項１〜９のいずれか一つに記載の面状照明装置。
【請求項１２】
前記第１の部分の前記導光板側には、飛島状に配列された個々の固定部材と、該固定部材に隣接して飛島状に配列された、出射面側からの平面視で略Ｔ字状の基材とが設けられる、
請求項１〜９のいずれか一つに記載の面状照明装置。
【請求項１３】
前記基材は、光を反射する部材である、
請求項１０〜１２のいずれか一つに記載の面状照明装置。
【請求項１４】
前記導光板および前記第１の部分は、同一種類の樹脂材料により構成される、
請求項１〜１３のいずれか一つに記載の面状照明装置。
【請求項１５】
前記導光板および前記第１の部分は、ポリカーボネートにより構成され、
前記導光板と前記第１の部分とを固定する固定部材は、ポリウレタンにより構成される、
請求項１〜１４のいずれか一つに記載の面状照明装置。
【発明の詳細な説明】
【技術分野】
【０００１】
本発明は、面状照明装置に関する。
【背景技術】
【０００２】
導光板の入光側面から光を入射し、導光板の一方の主面から光を出射する、いわゆるエッジライト型の面状照明装置が知られている（例えば、特許文献１、２等を参照）。面状照明装置は、液晶表示装置におけるバックライト等として用いられる。【０００３】
導光板は、光学特性の安定化のためにＬＥＤ（Light  Emitting  Diode）等の光源と入光側面との間隔を安定に保つ必要があるとともに、振動等によりがたつきが発生しないよう、安定な保持が不可欠である。この点、樹脂等により形成される導光板は、線膨張係数が筐体を構成する金属等の材料に比較して大きいため、温度変化による伸縮を吸収できるよう、入光側面以外の３面の側面の外側に配置されたゴム等の弾性部材により、入光側面が光源側に付勢されて保持されることが多い。【０００４】
また、一般的な面状照明装置では、光出射用の開口が設けられたトップフレームが筐体の一部として用いられることが多く、トップフレームにおける光出射用の開口を形成する部分は額縁と呼ばれる。昨今では主にデザイン上の観点から、額縁の幅を狭くする狭額縁化が要請されている。
【先行技術文献】
【特許文献】
【０００５】
【特許文献１】特開２０１８−４１６６７号公報
【特許文献２】特開２０１８−７８０６８号公報
【発明の概要】
【発明が解決しようとする課題】
【０００６】
しかしながら、導光板の入光側面以外の３面の側面の外側に弾性部材が配置される構成では、弾性部材を配置するスペースを確保する必要から、額縁部を狭くすることができず、狭額縁化を達成することが困難であった。【０００７】
本発明は、上記に鑑みてなされたものであって、狭額縁化を図ることのできる面状照明装置を提供することを目的とする。
【課題を解決するための手段】
【０００８】
上述した課題を解決し、目的を達成するために、本発明の一態様に係る面状照明装置は、導光板と、光源と、リフレクタとを備える。前記導光板は、入光側面から入光する。前記光源は、前記導光板の入光側面に光を照射する。前記リフレクタは、前記導光板の一方の主面である出射面と反対側の裏面に沿って配置される。前記リフレクタは、前記導光板の前記裏面の前記入光側面側において、前記導光板に厚み方向に対向し、固定部材を介して前記導光板に直接に接着されて固定される第１の部分と、該第１の部分から分離され、該第１の部分よりも導光方向の終端側に配置される第２の部分とを有する。前記第１の部分および前記第２の部分は、単一の固定部材を介してフレームに固定される。【０００９】
本発明の一態様に係る面状照明装置は、狭額縁化を図ることができる。
【図面の簡単な説明】
【００１０】
【図１】図１は、一実施形態にかかる面状照明装置の外観斜視図である。
【図２】図２は、面状照明装置の主要な構成要素の分解斜視図である。
【図３】図３は、図１における面状照明装置のＸ−Ｘ断面図の一部（左側部分）である。
【図４】図４は、接続補助部の部分的な斜視図である。
【図５】図５は、比較例＃１にかかる面状照明装置の断面図の一部（左側部分）である。
【図６】図６は、比較例＃２にかかる面状照明装置の断面図の一部（左側部分）である。
【図７】図７は、接続補助部の他の構成例を示す部分的な斜視図である。
【図８】図８は、接続補助部の更に他の構成例を示す部分的な斜視図である。
【発明を実施するための形態】
【００１１】
以下、実施形態に係る面状照明装置について図面を参照して説明する。なお、この実施形態によりこの発明が限定されるものではない。また、図面における各要素の寸法の関係、各要素の比率などは、現実と異なる場合がある。図面の相互間においても、互いの寸法の関係や比率が異なる部分が含まれている場合がある。また、１つの実施形態や変形例に記載された内容は、原則として他の実施形態や変形例にも同様に適用される。
【００１２】
図１は、一実施形態にかかる面状照明装置１の外観斜視図であり、光の出射面側から見た図である。図１において、説明の便宜上、面状照明装置１の筐体の長辺に沿った方向をＸ軸方向、筐体の短辺に沿った方向をＹ軸方向、筐体の厚みに沿った方向をＺ軸方向とする。
【００１３】
図１において、面状照明装置１は、略長方形（略正方形でも可）で略板状の外形をしており、図における手前側の光の出射面側には、トップフレーム２Ｂが露出している。図では見えない裏面側には、ボトムフレーム（２Ａ）がある。トップフレーム２Ｂは、内側に光が出射する開口２ａが形成されている。開口２ａの周囲の部分は、額縁部２ｂである。また、面状照明装置１からＸ軸の正方向に延びて設けられているのは光源基板５の一部であり、その先端には接続部５ａが設けられ、外部との電気的な接続に用いられる。トップフレーム２Ｂは、ステンレス鋼による板金等により形成されている。液晶表示装置等のバックライトとして面状照明装置１が用いられる場合、液晶表示装置等は開口２ａおよび額縁部２ｂの側に装着される。
【００１４】
図２は、面状照明装置１の主要な構成要素の分解斜視図であり、図１と同様に光の出射面側から見た図である。図２において、面状照明装置１は、図の上側のボトムフレーム２Ａに対して、リフレクタ３Ａおよび部分的リフレクタ基部３Ｂと、導光板４と、光学シート７Ａ〜７Ｃとが順次に積層され、その上にトップフレーム２Ｂが蓋をする形で配置される。
【００１５】
ボトムフレーム２Ａは、底部と、この底部の周囲を囲む４面の側壁とを有している。トップフレーム２Ｂは、開口（２ａ）が形成された額縁部（２ｂ）と、この額縁部の周囲を囲む４面の側壁とを有している。
【００１６】
リフレクタ３Ａおよび部分的リフレクタ基部３Ｂ（後述する接続補助部１０２（図３）を含めた部分）は、導光板４とボトムフレーム２Ａの底部との間に配置され、導光板４の出射面と反対側の面に漏れた光を反射して出射面側に出射させる光学部材である。部分的リフレクタ基部３Ｂは、導光板４とボトムフレーム２Ａとの両者に固定される。リフレクタ３Ａは導光板４に固定されず、端部がボトムフレーム２Ａに固定される。また、リフレクタ３Ａと部分的リフレクタ基部３Ｂとの間には、組立上で必要とされる所定幅のギャップ（クリアランス）が設けられている。
【００１７】
導光板４は、入光側面４ａから入射された光を内部に導き、リフレクタ３Ａと反対側の主面から出射する光学部材である。導光板４の入光側面４ａ側には、光源基板５およびスペーサ６がボトムフレーム２Ａに固定されている。光源基板５は、ＦＰＣ（Flexible  Printed  Circuit）等により形成される。光源基板５の入光側面４ａと対向する部分には、複数（多数）のＬＥＤ等の光源５ｂが配置されている。なお、図示の例では、天面から発光するトップビュー型のＬＥＤの場合を示しているが、側面から発光するサイドビュー型のＬＥＤを用いることもできる。
【００１８】
スペーサ６には、光学シート７Ａ〜７Ｃの端部が固定される。光学シート７Ａは、拡散シート等の光学部材である。光学シート７Ｂは、プリズムシートやＢＥＦ（Brightness  Enhancement  Film）等の光学部材である。光学シート７Ｃは、反射偏光フィルムやＤＢＥＦ（Dual  Brightness  Enhancement  Film）等の光学部材である。
【００１９】
図３は、図１における面状照明装置１のＸ−Ｘ断面図の一部（左側部分）であり、図の上方向が光の出射方向として描かれている。図３において、ボトムフレーム２Ａの底部の内面には、白色で強粘着の両面テープ等の固定部材１０１を介して、リフレクタの第１の部分である部分的リフレクタ基部３Ｂの一方の主面と、リフレクタの第２の部分であるリフレクタ３Ａの端部側の主面とが、共通に固定されている。部分的リフレクタ基部３Ｂの固定部材１０１と反対側の主面には、接続補助部１０２が固定されている。リフレクタ３Ａは、二軸延伸ポリエステルフィルム等による内部に気泡を有する光反射性の材料から構成されるが、部分的リフレクタ基部３Ｂは、白ＰＥＴ（Polyethylene  Terephthalate）等の内部に気泡を有しない光反射性の材料から構成される。
【００２０】
接続補助部１０２の部分的リフレクタ基部３Ｂと反対側の主面は、導光板４の入光側面４ａ側の主面に固定されている。リフレクタ３Ａの固定部材１０１と反対側の主面は、導光板４には固定されていない。リフレクタの第１の部分とリフレクタの第２の部分との間には、組立上必要となるクリアランスであるギャップＧが設けられている。
【００２１】
図４は、接続補助部１０２の部分的な斜視図である。図４において、接続補助部１０２は、両面テープ等の帯状の固定部材１０３の上に、ＰＥＴ等による帯状の基材１０４が固定され、固定部材１０３と基材１０４の両方に略矩形状の切欠き１０４ａが形成されている。基材１０４は、光反射性の部材（白ＰＥＴ等）としてもよい。そして、各切欠き１０４ａ内に熱圧着テープ等の固定部材１０５が配置され、固定部材１０５は部分的リフレクタ基部３Ｂと導光板４との間を固定する。熱圧着テープは、例えば、ポリウレタン等により構成されるものであり、加熱により溶融して接着を行うものである。なお、同じポリウレタン等により構成されるものであっても、シリンジ等により塗布可能な接着剤タイプであって、熱源が不要で大気中の湿気により硬化するタイプのものを固定部材１０５として用いることもできる。固定部材１０３の基材１０４と反対側の面は部分的リフレクタ基部３Ｂに固定される。
【００２２】
固定部材１０５は、ＬＥＤ等の光源５ｂの隣り合う間に配置されるよう、飛島状に配置されており、固定部材１０５と導光板４との接触面における全反射による光学特定への影響を低減させるようになっている。基材１０４および固定部材１０３の切欠き１０４ａは、熱圧着テープ等の固定部材１０５が溶融する際の流れ止めとして機能し、所定の接着面積と厚みとを確保することで接着力を確保している。なお、加工の容易さから一端が開口となる切欠き１０４ａとしているが、固定部材１０５を囲む孔としてもよい。
【００２３】
このように、接続補助部１０２は、固定部材１０５の流れ止めとしての機能のほかに、導光板４に直接対向する基材１０４に光反射性を持たせることにより、接続補助部１０２を部分的リフレクタ基部３Ｂとともにリフレクタとして機能させることができ、リフレクタの機能を増強・補完することができる。また、リフレクタの機能の増強・補完によって部分的リフレクタ基部３Ｂに高い光反射性が要求されなくなることで、後述するように、部分的リフレクタ基部３Ｂの材料の選択肢を増やすことができる。
【００２４】
図３に戻り、ボトムフレーム２Ａの側壁の内面には両面テープ等の固定部材１０６を介して光源基板５が固定されている。光源基板５上の光源５ｂの出射面は、導光板４の入光側面４ａと対向している。また、光源基板５と導光板４の入光側面４ａとの間から導光板４の出射面側の端部にかけてスペーサ６が設けられている。
【００２５】
スペーサ６は、隣り合う光源５ｂの間に配置される複数の櫛歯部と、これらの複数の櫛歯部を背後の光源基板５側で連結する連結部と、この連結部から導光板４側に屈曲して延在する庇部とを備えている。なお、櫛歯部は、隣り合う全ての光源５ｂの間に配置される必要はなく、複数の光源５ｂおきに設けられるものでもよい。スペーサ６の庇部の導光板４側は、両面テープ等による、隣り合う光源５ｂの中間付近に配置される飛島状の固定部材１０７により導光板４に固定されている。飛島状の固定部材１０７により、固定部材１０７と導光板４との接触面における全反射による光学特定への影響を低減させるようになっている。なお、スペーサ６と導光板４とは、いずれも樹脂等により構成され線膨張係数が近似しているため、スペーサ６の長手方向の全面にわたって互いに固定されても、温度変化による伸縮量の差は小さく、固定部材１０７が剥がれることはない。また、スペーサ６の庇部には、光学シート７Ａ〜７Ｃの端部が固定されている。
【００２６】
ボトムフレーム２Ａの開口側には、トップフレーム２Ｂが被せられ、ボトムフレーム２Ａとトップフレーム２Ｂとにより筐体が形成される。なお、部分的リフレクタ基部３Ｂとリフレクタ３Ａとの間のギャップＧの部分は、トップフレーム２Ｂの額縁部２ｂで覆われるデッドエリアにあり、また、後述するように下部側に白色のテープ（光反射性の材料）から構成された固定部材１０１を配置することにより、開口２ａから出る出射光への影響を低減させている。
【００２７】
図５は、比較例＃１にかかる面状照明装置１’の断面図の一部（左側部分）であり、図３と同様の断面状態を示している。図５において、ボトムフレーム２Ａ’の底部の内面には、両面テープ等の固定部材１０１’を介して、リフレクタ３’の一方の面が固定されている。また、リフレクタ３’の固定部材１０１’と反対側の面は、両面テープ等の固定部材１０２’を介して、導光板４’の入光側面４ａ’側の主面に固定されている。固定部材１０２’は、光源５ｂ’の配列方向に沿って、光源５ｂ’の中間付近に配置されるため、断面の表示はされていない。
【００２８】
また、ボトムフレーム２Ａ’の側壁の内面には両面テープ等の固定部材１０６’を介して光源基板５’が固定されている。光源基板５’上の光源５ｂ’の出射面は、導光板４’の入光側面４ａ’と対向している。なお、スペーサ、光学シート、トップフレーム等については、図示が省略されている。
【００２９】
この比較例＃１によれば、導光板４’の入光側面４ａ’側の主面の一部が両面テープ等の固定部材１０２’によりリフレクタ３’に固定されている。導光板４’とリフレクタ３’とでは線膨張係数が異なるため（前者の線膨張係数は後者の線膨張係数よりも大きい）、温度変化による伸縮量に差が出る。そのため、固定部分にせん断力がかかり、固定部材の接着層が剥がれてしまうという問題がある。
【００３０】
図６は、比較例＃２にかかる面状照明装置１”の断面図の一部（左側部分）であり、図５と同様の断面状態を示している。図６において、ボトムフレーム２Ａ”の底部の内面には、両面テープ等の固定部材１０１”を介して、リフレクタ３”の一方の面が固定されている。また、リフレクタ３”の固定部材１０１”と反対側の面は、熱圧着テープ等の固定部材１０２”を介して、導光板４”の入光側面４ａ”側の主面に固定されている。固定部材１０２”は、光源５ｂ”の配列方向に沿って、光源５ｂ”の中間付近に配置されるため、断面の表示はされていない。
【００３１】
また、ボトムフレーム２Ａ”の側壁の内面には両面テープ等の固定部材１０６”を介して光源基板５”が固定されている。光源基板５”上の光源５ｂ”の出射面は、導光板４”の入光側面４ａ”と対向している。なお、スペーサ、光学シート、トップフレーム等については、図示が省略されている。
【００３２】
この比較例＃２によれば、導光板４”の入光側面４ａ”側の主面の一部が熱圧着テープ等の固定部材１０２”によりリフレクタ３”に固定されている。熱圧着テープ等の固定部材１０２”による接着力は強力であるため、図５の比較例＃１の場合のように、温度変化によって固定部材の接着層が剥がれてしまうという問題はなくなる。しかし、導光板４”とリフレクタ３”との線膨張係数の違いによりリフレクタ３”に歪みが発生し、光学特性の劣化が発生してしまう場合がある。また、接着層の剥がれはないが、リフレクタ３”には気泡を有する材料が用いられることが多いため、せん断力によりリフレクタ３”自体が層間破壊を起こしてしまう場合もあった。
【００３３】
この点、図３および図４に示された実施形態によれば、図６の比較例＃２と同様に、導光板４と部分的リフレクタ基部３Ｂとの固定に、接続補助部１０２における熱圧着テープ等の固定部材１０５が用いられている。そのため、固定部材１０５の強力な接着力により、温度変化によって固定部材の接着層が剥がれてしまうという問題が起こりにくくなる。
【００３４】
また、リフレクタが、リフレクタ３Ａと部分的リフレクタ基部３Ｂとに分離され、リフレクタ３Ａは導光板４に固定されていないため、部分的リフレクタ基部３Ｂ側で線膨張係数の違いにより歪みが発生しても、リフレクタ３Ａに影響はなく、光学特性の劣化は発生しにくくなる。
【００３５】
また、リフレクタ３Ａは、二軸延伸ポリエステルフィルム等による内部に気泡を有する材料から構成されことが多いのに対し、部分的リフレクタ基部３Ｂは、ＰＥＴ等の内部に気泡を有しない材料から構成されるため、線膨張係数の違いによりせん断力が発生しても層間破壊を起こしにくくなる。
【００３６】
また、前述のように、接続補助部１０２の固定部材１０５は、基材１０４の切欠き１０４ａによる流れ止めにより、熱圧着時に溶融した接着剤が流れ出さず、所定の接着面積と厚みとを確保することで接着力を確保することができる。また、リフレクタ３Ａと部分的リフレクタ基部３Ｂおよび接続補助部１０２との間のギャップＧは額縁部２ｂ下のデッドエリア内にあるため、光学特性への影響は少ない。また、固定部材１０１は白色の強粘着テープにより構成されるため、ギャップＧによる光学特性への影響は少ない。
【００３７】
（変形例）
上記の実施形態の変形例として、面状照明装置１の断面図等としては図３と同様であるが、部分的リフレクタ基部３Ｂを、ＰＥＴ等に代えて、導光板４と同じポリカーボネート等により構成することで、ポリウレタン等により構成される固定部材１０５（図４）による導光板４と部分的リフレクタ基部３Ｂとの接着力を大幅に高めることが可能になる。これは、単なる物理的な接着だけではなく、化学的な反応により（固定部材１０５と部分的リフレクタ基部３Ｂとの）接着力が増大するものと考えられる。導光板４と部分的リフレクタ基部３Ｂとの接着力が高められることで、固定部材１０５および周囲の部材の導光方向の幅をより狭くすることが可能となり、より一層の狭額縁化を達成することが可能になる。なお、導光板４と部分的リフレクタ基部３Ｂとを、ポリカーボネート等に限らず、固定部材１０５との接着力が高い同一種類の樹脂材料（熱膨張係数が同じまたはほぼ同じ透明な材料）により構成されるものとしてもよい。この場合、固定部材１０５はポリウレタン等に限られない。
【００３８】
また、導光板４と部分的リフレクタ基部３Ｂとが同じポリカーボネート等により構成され、導光板４と部分的リフレクタ基部３Ｂとの接着力が高められることで、温度変化に対して導光板４と部分的リフレクタ基部３Ｂとが同様に伸縮することとなり、光源５ｂの配列のピッチに対して固定部材１０５の配列のピッチがずれてしまうことがなくなる。
【００３９】
すなわち、部分的リフレクタ基部３Ｂと固定部材１０５との接着力が弱い場合（部分的リフレクタ基部３ＢがＰＥＴ等により構成されている場合）、部分的リフレクタ基部３Ｂは同じくＰＥＴ等により構成されている両面テープ等の固定部材１０１との接着力が相対的に強く、ＰＥＴ等は線膨張係数が小さいために温度変化に対してあまり動かない。一方、線膨張係数の大きい導光板４と、それに強固に固定された固定部材１０５は温度変化に対して大きく動くこととなり、冷熱の温度変化を繰り返すうちに部分的リフレクタ基部３Ｂ上の固定部材１０５の位置がずれてしまい、光学特性に悪影響を与えてしまうおそれがある。その点、導光板４と部分的リフレクタ基部３Ｂとの接着力が高められることで、固定部材１０５が（光源５ｂから導光板４が）ずれてしまうことがなくなり、光学特性に影響を与えることがなくなる。なお、部分的リフレクタ基部３Ｂが導光板４とともに伸縮することで、部分的リフレクタ基部３Ｂと両面テープ等の固定部材１０１との接着面の一時的な剥がれが発生することがあるが、部分的リフレクタ基部３Ｂと固定部材１０１とは大面積で接着されているとともに、一時的に剥がれが生じても再付着による復元効果があるため、固定に問題はない。
【００４０】
また、部分的リフレクタ基部３Ｂを導光板４と同じポリカーボネート等により構成した場合、部分的リフレクタ基部３Ｂに白反射の性質を持たせるためにチタン酸化物等を混入させると、ポリウレタン等により構成される固定部材１０５との接着強度が大幅に低下してしまうため、チタン酸化物等を混入させない透明な状態で用いることが望ましい。なお、部分的リフレクタ基部３Ｂが透明な状態であっても、部分的リフレクタ基部３Ｂの主要部分を上部側（出射方向側）から覆う接続補助部１０２が、後述するように、光を反射する機能を有することから、光学特性への影響は少ない。また、直下の固定部材１０１の部分的リフレクタ基部３Ｂ側が白色となっていることで、その白色が透けて作用するため、光学特性への影響はより少なくなる。
【００４１】
また、固定部材１０５を囲む接続補助部１０２の基材１０４は、固定部材１０３を介して固定される部分的リフレクタ基部３Ｂと同じ線膨張係数とするために、部分的リフレクタ基部３Ｂと同様にポリカーボネート等により構成され、更に、白反射の機能を持たせるためにチタン酸化物等の混入されたものが望ましい。ただし、その製造が容易でない場合は、前述と同様に白色のＰＥＴ等を用い、固定部材１０５の配列方向に沿って分離されたものとすることで、線膨張係数の違いによる歪みや剥がれを防止することができる。その場合の構成例を以下に説明する。
【００４２】
図７は、接続補助部１０２の他の構成例を示す部分的な斜視図であり、図４と同じ視点から描かれている。図７において、接続補助部１０２は、飛島状に配置された固定部材１０５と、これらの固定部材１０５に隣接して飛島状に配置された矩形状の固定部材１０３および基材１０４とから構成されている。固定部材１０３は、両面テープ等により構成される。基材１０４は、白色のＰＥＴ等により構成される。基材１０４は、固定部材１０５が固定される部分的リフレクタ基部３Ｂのポリカーボネート等よりも線膨張係数が小さく、温度変化に対する伸縮が小さいが、固定部材１０５の配列方向に分離されて配置されるため、伸縮の違いによる影響はほとんど生じない。
【００４３】
図８は、接続補助部１０２の更に他の構成例を示す部分的な斜視図であり、図４と同じ視点から描かれている。図８において、接続補助部１０２は、飛島状に配置された固定部材１０５と、これらの固定部材１０５に隣接して飛島状に配置された、出射面側からの平面視で略Ｔ字状の固定部材１０３および基材１０４とから構成されている。固定部材１０３は、両面テープ等により構成される。基材１０４は、白色のＰＥＴ等により構成される。基材１０４は、固定部材１０５が固定される部分的リフレクタ基部３Ｂのポリカーボネート等よりも線膨張係数が小さく、温度変化に対する伸縮が小さいが、固定部材１０５の配列方向に分離されて配置されるため、伸縮の違いによる影響はほとんど生じない。
【００４４】
以上、本発明の実施形態について説明したが、本発明は上記実施形態に限定されるものではなく、その趣旨を逸脱しない限りにおいて種々の変更が可能である。
【００４５】
以上のように、実施形態に係る面状照明装置は、入光側面から入光する導光板と、導光板の入光側面に光を照射する光源と、導光板の一方の主面である出射面と反対側の裏面に沿って配置されるリフレクタとを備え、リフレクタは、導光板の裏面の入光側面側に固定部材により固定される第１の部分と、第１の部分から分離され、第１の部分よりも導光方向の終端側に配置される第２の部分とを有し、第１の部分および第２の部分は、単一の固定部材を介してフレームに固定される。これにより、光学特性を劣化させることなく入光側の一辺で導光板を固定することができ、面状照明装置の狭額縁化を図ることができる。
【００４６】
また、第１の部分が導光板と固定される固定部材は、熱圧着テープまたは接着剤である。これにより、導光板を高い強度で固定することができる。
【００４７】
また、第１の部分は、内部に気泡を有しない材料から構成され、第２の部分は、内部に気泡を有する材料から構成される。これにより、第２の部分にリフレクタとして適した材料の使用を維持しつつ、第１の部分の層間破壊を防止して安定した固定を行うことができる。
【００４８】
また、第１の部分と第２の部分との間のギャップ部分は、額縁部により覆われるデッドエリア内に設けられる。これにより、組立上で必要とされる所定のクリアランスを確保しつつ、光学特性への影響を防止することができる。
【００４９】
また、単一の固定部材は、リフレクタ側が白色の強粘着テープにより構成される。これにより、ギャップ部分による光学特性への影響を防止することができる。
【００５０】
また、第１の部分の導光板側には、飛島状に配列された個々の固定部材を囲う切欠きまたは孔が設けられた基材が設けられる。これにより、固定部材に熱圧着テープが用いられる場合の接着剤の流れ止めとなり、所定の接着面積と厚みとを確保することで接着力を確保することができる。
【００５１】
また、第１の部分の導光板側には、飛島状に配列された個々の固定部材と、この固定部材に隣接して飛島状に配列された矩形状の基材とが設けられる。これにより、第１の部分と基材との線膨張係数が異なる場合であっても、歪や剥がれを防止することができる。
【００５２】
また、基材は、光を反射する部材である。これにより、光学特性への影響を少なくすることができる。
【００５３】
また、第１の部分の導光板側には、飛島状に配列された個々の固定部材と、この固定部材に隣接して飛島状に配列された、出射面側からの平面視で略Ｔ字状の基材とが設けられる。これにより、第１の部分と基材との線膨張係数が異なる場合であっても、歪や剥がれを防止することができる。
【００５４】
また、導光板および第１の部分は、ポリカーボネートにより構成され、導光板と第１の部分とを固定する固定部材は、ポリウレタンにより構成される。これにより、導光板と第１の部分との接着力を強化し、更なる狭額縁化を図ることができる。
【００５５】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００５６】
１  面状照明装置，２Ａ  ボトムフレーム，２Ｂ  トップフレーム，３Ａ  リフレクタ，３Ｂ  部分的リフレクタ基部，４  導光板，４ａ  入光側面，５  光源基板，５ａ  接続部，５ｂ  光源，６  スペーサ，７Ａ〜７Ｃ  光学シート，１０１、１０３、１０５〜１０７  固定部材，１０２  接続補助部，１０４  基材，１０４ａ  切欠き，Ｇ  ギャップ
【図１】
0006936927.tif 000002
【図２】
0006936927.tif 000003
【図３】
0006936927.tif 000004
【図４】
0006936927.tif 000005
【図５】
0006936927.tif 000006
【図６】
0006936927.tif 000007
【図７】
0006936927.tif 000008
【図８】
0006936927.tif 000009